(57)【要約】【課題】台風などの強風でも壊れにくくかつコストが抑制された農業用ハウス及び開口部開閉用風船部材を提供する。【解決手段】本発明の一態様に係る農業用ハウスは、開口部と、この開口部を開閉可能に設置される風船部材と、この風船部材への吸気及び脱気を制御するポンプ機構とを備える。当該農業用ハウスは上記風船部材を支持する支持体をさらに備えるとよく、上記支持体が水平配置される棒状体を含むとよい。上記風船部材が、両端が開口した管状の保持部材を有し上記棒状体が上記保持部材を一方の開口から他方の開口に向かって貫通しているとよい。上記風船部材が貫通孔を有し上記棒状体が上記貫通孔を貫通しているとよい。上記支持体が水平配置される透明な板状体であってもよい。当該農業用ハウスは樹脂膜により形成され上記開口部の縁に沿って上記縁及び上記風船部材に接するように設けられた第２風船部材をさらに備えるとよい。【選択図】図１
2017104052.tif 000002
【特許請求の範囲】
【請求項１】
開口部と、
この開口部を開閉可能に設置される風船部材と、
この風船部材への吸気及び脱気を制御するポンプ機構と
を備える農業用ハウス。
【請求項２】
上記風船部材を支持する支持体をさらに備え、
上記支持体が水平配置される棒状体を含む請求項１に記載の農業用ハウス。
【請求項３】
上記風船部材が、両端が開口した管状の保持部材を有し、上記棒状体が上記保持部材を一方の開口から他方の開口に向かって貫通している請求項２に記載の農業用ハウス。
【請求項４】
上記風船部材が貫通孔を有し、上記棒状体が上記貫通孔を貫通している請求項２に記載の農業用ハウス。
【請求項５】
上記風船部材を支持する支持体をさらに備え、
上記支持体が水平配置される透明な板状体を含む請求項１に記載の農業用ハウス。
【請求項６】
樹脂膜により形成され、上記開口部の縁に沿って上記縁及び上記風船部材に接するように設けられた第２風船部材をさらに備える請求項１から請求項５のいずれか１項に記載の農業用ハウス。
【請求項７】
農業用ハウスの開口部を開閉するための風船部材であって、
膨張及び収縮可能に形成され、膨張により開口部の縁と接触して上記開口部を遮断し、収縮により開口部の縁から離間して上記開口部を開放する農業用ハウスの開口部開閉用風船部材。
【発明の詳細な説明】
【技術分野】
【０００１】
本発明は、農業用ハウス及び農業用ハウスの開口部開閉用風船部材に関する。
【背景技術】
【０００２】
従来より、植物の育成環境を制御するために農業用ハウスが利用されている。この農業用ハウスは、温度及び湿度を変更することで植物に適した育成環境を作り出すことが可能である。
【０００３】
このような農業用ハウスにおいて、内部の温度及び湿度を変更するために傾斜した屋根に開閉可能な天窓が設けられ、この天窓がラックアンドピニオン等の開閉機構により開閉するよう構成されたものが提案されている（特開２０００−１０６７６３号公報参照）。
【先行技術文献】
【特許文献】
【０００４】
【特許文献１】特開２０００−１０６７６３号公報
【発明の概要】
【発明が解決しようとする課題】
【０００５】
しかしながら、ラックアンドピニオン等の開閉機構は高価であるため、それを備える農業用ハウスはコストが高くなる傾向がある。また、ラックアンドピニオン等の開閉機構は重量が大きいことから、それを支持する骨材も肉厚化しハウス全体としてコストが上昇するおそれがある。また、このようなラックアンドピニオン等の開閉機構においては、台風などの強風によりラックの歯車とピニオンの歯車とがかみ合う部分が破損するおそれがある。
【０００６】
本発明は、上述のような事情に基づいてなされたものであり、台風などの強風でも壊れにくく、かつコストが抑制された農業用ハウス及びそのような農業用ハウスに用いられる開口部開閉用風船部材を提供することを目的とする。
【課題を解決するための手段】
【０００７】
上記課題を解決するためになされた本発明の一態様に係る農業用ハウスは、開口部と、この開口部を開閉可能に設置される風船部材と、この風船部材への吸気及び脱気を制御するポンプ機構とを備える。
【０００８】
また、本発明の別の態様に係る風船部材は、農業用ハウスの開口部を開閉するための風船部材であって、膨張及び収縮可能に形成され、膨張により開口部の縁と接触して上記開口部を遮断し、収縮により開口部の縁から離間して上記開口部を開放する農業用ハウスの開口部開閉用風船部材である。
【発明の効果】
【０００９】
本発明に係る農業用ハウス及び農業用ハウスの開口部開閉用風船部材は、台風などの強風でも壊れにくく、かつコストを抑制することができる。
【図面の簡単な説明】
【００１０】
【図１】図１は、本発明の一実施形態に係る農業用ハウスの模式的斜視図である。
【図２】図２は、図１の農業用ハウスの模式的平面図である。
【図３】図３は、図２の農業用ハウスの風船部材が膨張した状態でのＡＡ線における模式的断面図である。
【図４】図４は、図２の農業用ハウスの風船部材が収縮した状態でのＡＡ線における模式的断面図である。
【図５】図５は、本発明の別の実施形態に係る農業用ハウスの模式的断面図である。
【図６】図６は、図５の農業用ハウスの模式的部分断面図である。
【図７】図７は、本発明のさらに別の実施形態に係る農業用ハウスの風船部材が膨張した状態における模式的断面図である。
【図８】図８は、図７の農業用ハウスに用いられる風船部材の模式的斜視図である。
【図９】図９は、図７の農業用ハウスの風船部材が収縮した状態における模式的断面図である。
【図１０】図１０は、本発明のさらに別の実施形態に係る農業用ハウスに用いられる風船部材の模式的断面図である。
【図１１】図１１は、本発明のさらに別の実施形態に係る農業用ハウスの模式的断面図である。
【発明を実施するための形態】
【００１１】
［本発明の実施形態の説明］
本発明の一実施形態に係る農業用ハウスは、開口部と、この開口部を開閉可能に設置される風船部材と、この風船部材への吸気及び脱気を制御するポンプ機構とを備える。
【００１２】
当該農業用ハウスは、ラックアンドピニオン等の開閉機構に比して安価である風船部材を用いることでコストを抑制することができる。また、風船部材は上述のラックアンドピニオン等の開閉機構に比して軽量であり農業用ハウスの骨材を肉厚化する必要がないことからもコストを抑制することができる。また、風船部材は構造が簡易であるため、破損のおそれが少なく、台風などの強風でも壊れにくい。
【００１３】
当該農業用ハウスが上記風船部材を支持する支持体をさらに備えるとよく、上記支持体が水平配置される棒状体を含むとよい。このように、上記支持体を水平配置される棒状体とすることで、風船部材を安定に保持することができる。
【００１４】
上記風船部材が、両端が開口した管状の保持部材を有し、上記棒状体が上記保持部材を一方の開口から他方の開口に向かって貫通しているとよい。このように、風船部材が、両端が開口した管状の保持部材を有し、棒状体が保持部材を一方の開口から他方の開口に向かって貫通することで、風船部材をより安定に保持することができる。
【００１５】
上記風船部材が貫通孔を有し、上記棒状体が上記貫通孔を貫通しているとよい。このように、風船部材が貫通孔を有し、棒状体が貫通孔を貫通することで、風船部材をより安定に保持することができる。
【００１６】
当該農業用ハウスが上記風船部材を支持する支持体をさらに備える場合、上記支持体が水平配置される透明な板状体を含んでもよい。このように、当該農業用ハウスが上記風船部材を支持する支持体をさらに備え、上記支持体を水平配置される透明な板状体とすることで、支持体で風船部材を安定に保持することができると共に、支持体により雨の侵入を抑制することができる。
【００１７】
当該農業用ハウスが、樹脂膜により形成され、上記開口部の縁に沿って上記縁及び上記風船部材に接するように設けられた第２風船部材をさらに備えるとよい。当該農業用ハウスが上記第２風船部材をさらに備えることで、風船部材と開口部の縁との接触による風船部材の破損を抑制することができる。
【００１８】
また、本発明の別の一実施形態に係る風船部材は、農業用ハウスの開口部を開閉するための風船部材であって、膨張及び収縮可能に形成され、膨張により開口部の縁と接触して上記開口部を遮断し、収縮により開口部の縁から離間して上記開口部を開放する農業用ハウスの開口部開閉用風船部材である。
【００１９】
当該農業用ハウスの開口部開閉用風船部材は、膨張及び収縮可能に形成され、膨張により開口部を遮断し、収縮により開口部を開放することができる風船部材を農業用ハウスの開口部の開閉のために用いることで、この風船部材より高価となるラックアンドピニオン等の開閉機構を用いる必要がなく、農業用ハウスのコストを抑制することができる。また、上記同様農業用ハウスの骨材を肉厚化することがないことからもコストを抑制することができる。また、当該農業用ハウスの開口部開閉用風船部材は構造が簡易であるため、破損のおそれが少なく、台風などの強風でも壊れにくい。
【００２０】
［本発明の実施形態の詳細］
以下、本発明に係る農業用ハウス及び農業用ハウスの開口部開閉用風船部材の実施形態について図面を参照しつつ詳説する。
【００２１】
〔第一実施形態〕
図１及び図２に示す当該農業用ハウス１は、ハウス本体２と、ハウス本体２に設けられた開口部３と、開口部３を開閉可能に設置される風船部材４と、風船部材４への吸気及び脱気を制御するポンプ機構５とを備える。当該農業用ハウス１は、図３に示すように、風船部材４を支持する支持体６をさらに備える。
【００２２】
当該農業用ハウス１は、ラックアンドピニオン等の開閉機構に比して安価である風船部材４を用いることで農業用ハウスのコストを抑制することができる。また、風船部材４は上述のラックアンドピニオン等の開閉機構に比して軽量であり農業用ハウスの骨材を肉厚化する必要がないことからもコストを抑制することができる。また、当該農業用ハウス１の風船部材４は構造が簡易であるため、破損のおそれが少なく、台風などの強風でも壊れにくい。
【００２３】
＜ハウス本体＞
当該農業用ハウス１のハウス本体２は、側壁と、この側壁の上部に設けられた屋根とを有する。ハウス本体２は外部と内部とを隔てることができるため、内部の温度及び湿度を一定に保つことができる。
【００２４】
当該農業用ハウス１のハウス本体２の平面視形状は如何なるものであってもよいが、例えば長方形、正方形等が例示される。なお、図１ではハウス本体２の平面視形状が長方形である場合を例にとり、その幅方向をＸ方向、長手方向をＹ方向とする。
【００２５】
ハウス本体２の長手方向（即ちＹ方向）に垂直な断面における形状は如何なるものであってもよいが、例えば長方形と二等辺三角形とを、長方形の上辺と二等辺三角形の斜辺とが当接するように組み合わされて形成された形状等が挙げられる。
【００２６】
＜開口部＞
開口部３は図２に示すようにハウス本体２に形成した開口で構成され、ハウス本体２内への気体の流入及びハウス本体２からの気体の流出に使用される。開口部３には、膨張及び収縮可能な風船部材４が配置され、風船部材４の膨張収縮により開口部３の開閉が行われる。
【００２７】
開口部３の平面視形状としては、特に限定されるものではないが、矩形、正方形、円、楕円等が挙げられる。開口部３の平面視形状としては矩形及び正方形が好ましく、矩形が特に好ましい。開口部３の平面視形状を矩形又は正方形とすることで、開口部３の製造容易性を向上させることができる。
【００２８】
開口部３の形状としては、特に限定されるものではないが、例えば長方形とできる。開口部３の形状が長方形の場合は、図１及び図２に示すように、開口部３の長手方向とハウス本体２の長手方向とを一致させるとよい。このように開口部３の長手方向とハウス本体２の長手方向とを一致させることで、開口部３の製造容易性を向上させることができる。
【００２９】
開口部３が形成される位置は、特に限定されるものではないが、開口部３はハウス本体２の側壁又は屋根に備えるとよい。開口部３をハウス本体２の側壁に備えることで、側壁へ向かう横風を当該農業用ハウス１内に採り入れることができる。また、開口部３をハウス本体２の屋根に備えることで、当該農業用ハウス１内で暖められた気体をより効率的に排出することができる。特に開口部３はハウス本体２の屋根の最上部に備えるとよい。開口部３をハウス本体２の屋根の最上部に備えることで、当該農業用ハウス１内で暖められた気体を最も効率的に当該農業用ハウス１から外部へ排出することができる。
【００３０】
開口部３がハウス本体２の屋根に設けられている場合において、ハウス本体２の開口部３の面積（第１面積）はハウス本体２の水平断面（即ち、ＸＹ平面に平行な断面）のなかで面積が最大となる断面の面積（第２面積）に対して一定の範囲にあることが好ましい。第１面積の第２面積に対する比率の下限としては、０．１が好ましく、０．２がより好ましく、０．３がさらに好ましい。一方、上記比率の上限としては、０．６が好ましく、０．５がより好ましく、０．４がさらに好ましい。上記比率が上記下限より小さいと、開口部３がハウス本体２に対して小さくなりすぎて当該農業用ハウス１の温度管理及び湿度管理を行いにくくなるおそれがある。一方、上記比率が上記上限より大きいと、開口部３を開閉する風船部材４が大きくなりすぎて当該農業用ハウス１を小型化しにくくなるおそれがある。なお、「水平」とはある面が水平面に対して完全に平行である場合だけでなく、ある面と水平面との成す角度が０°超１０°以下となるように傾斜している場合も含む。
【００３１】
＜風船部材＞
当該農業用ハウス１の風船部材４は膨張及び収縮可能に形成され、膨張及び収縮により開口部３の開閉を行う。より具体的には、図３に示すように風船部材４が膨張することで、風船部材４が開口部３の縁７と接触して開口部３を遮断する。一方、図４に示すように風船部材４が収縮することで、風船部材４が開口部３の縁７から離間して開口部３を開放する。風船部材４は、貫通孔を有さず、２以上の支持体により風船部材の下半分を支えることで保持される。
【００３２】
風船部材４は、その膨張時、その重心が、図３に示すように、開口部３より下側に位置するよう配置されるとよい。このように、風船部材４をその重心が開口部３より下側に位置するよう配置した場合、開口部３の両側の縁７が風船部材４の上側に接触し、２つの棒状体が風船部材４の下側に接触することが可能となる。このように、開口部３の両側の縁７が風船部材４の上側に接触し、２つの棒状体が風船部材４の下側に接触する場合、風船部材４が開口部３の両方の縁７と２つの棒状体とにより挟み込まれることとなることから、風船部材４に対する保持力を向上させることができる。
【００３３】
風船部材は、支持体としての棒状体が貫通する貫通孔を有していてもよい。風船部材が貫通孔を有する場合は、支持体としての棒状体が貫通孔を貫通することで風船部材が保持される。このように、風船部材が貫通孔を有し、棒状体が貫通孔を貫通することで、風船部材を安定に保持することができる。
【００３４】
風船部材４は、樹脂膜により構成されるとよい。風船部材４を樹脂膜により構成することで、そのコストを抑えることができる。また、樹脂膜はラックアンドピニオン等の開閉機構に比べて重量が小さいため、これを支持する骨材も肉厚化する必要がなくそれによりハウス全体のコストを抑えることができる。さらに、ラックアンドピニオン等の開閉機構は、台風などの強風によりラックの歯車とピニオンの歯車とがかみ合う部分が破損するおそれがあるが、樹脂膜からなる風船部材４は強風を受けても力が一点に集中することがなく、破損の可能性が低い。即ち、樹脂膜からなる風船部材４は構造が簡易であるため、風船部材４の破損を抑制することができる。
【００３５】
風船部材４に用いる樹脂膜の引張破断強さの下限としては、２０ＭＰａが好ましく、３０ＭＰａがより好ましく、４０ＭＰａがさらに好ましい。一方、上記引張破断強さの上限としては、８０ＭＰａが好ましく、７０ＭＰａがより好ましく、６０ＭＰａがさらに好ましい。上記引張破断強さが上記下限より小さいと、風船部材４が破損するおそれがある。一方、上記引張破断強さが上記上限より大きいと、風船部材４の柔軟性が低下し膨張及び収縮が抑制されるおそれがある。なお、引張破断強さとは、ＪＩＳ−Ｋ−７１２７（１９９９）に準拠して求められる強さである。
【００３６】
上記樹脂膜の平均厚さの下限としては、１．０ｍｍが好ましく、１．２ｍｍがより好ましく、１．５ｍｍがさらに好ましい。一方、上記平均厚さの上限としては、３．０ｍｍが好ましく、２．８ｍｍがより好ましく、２．５ｍｍがさらに好ましい。上記平均厚さが上記下限より小さいと、風船部材４が破損するおそれがある。一方、上記引張破断強さが上記上限より大きいと、風船部材４の柔軟性が低下し膨張及び収縮が抑制されるおそれがある。
【００３７】
上記樹脂膜は透明であるとよい。風船部材４の樹脂膜を透明とすることで、風船部材４による太陽光の遮断を抑制することができる。
【００３８】
上記樹脂膜の可視光に対する透過率の下限としては、８０％が好ましく、８４％がより好ましく、８８％がさらに好ましい。一方、上記透過率の上限としては、１００％が好ましく、９６％がより好ましく、９２％がさらに好ましい。上記透過率を上記下限以上とすることで、風船部材４による太陽光の遮断をさらに抑制することができる。また、上記透過率を上記上限以下とすることで、風船部材４のコストを抑えることができる。なお、透過率とは、ＪＩＳ−Ｋ−７３６１−１（１９９７）に準拠して求められる透過率である。
【００３９】
上記樹脂膜を構成する樹脂としては、如何なるものでもよいが、例えばポリテトラフルオロエチレン、ポリエチレンテレフタレート、ポリエチレン、ポリスチレン、ポリアクリル酸、ポリアクリル酸エステル、ポリ酢酸ビニル、ポリアクリロニトリル、ポリ塩化ビニル、ポリフッ化ビニル、ポリメタクリル酸、ポリメタクリル酸エステル、ポリ塩化ビニリデン、ポリフッ化ビニリデン、ポリシアン化ビニリデン、フッ化ビニリデン／トリフルオロエチレン共重合体、フッ化ビニリデン／テトラフルオロエチレン共重合体、酢酸ビニル／エチレン共重合体、シアン化ビニリデン／酢酸ビニル共重合体、ポリトリフルオロエチレン、ポリヘキサフルオロプロピレン、ポリアミド、ポリイミド、ポリウレタン、ポリペプチド、ポリカーボネート、ポリオキシメチレン、ポリエチレンオキシド、ポリプロピレンオキシド、ポリビニルアルコール、ポリビニルブチラール等が挙げられる。これらの中から１種を単独で用いてもよいし、２以上を組み合わせて用いてもよい。上記樹脂膜を構成する樹脂としては、ポリテトラフルオロエチレン及びポリエチレンテレフタレートが好ましく、ポリテトラフルオロエチレンが特に好ましい。上記樹脂は、透明性に優れると共に引張破断強さが高いため、太陽光の遮断を抑制すると共に風船部材４の破損を抑制することができる。
【００４０】
開口部３を風船部材４で遮断したときの密閉性を向上させる観点から、風船部材４はその膨張時の形状が開口部３の形状と一致するように設計するとよい。膨張時の風船部材４の開口部３に平行な断面（即ち、図１に示すように開口部３を屋根の最上部に設けた場合はＸＹ平面に平行な断面）の形状としては、ハウス本体２の開口部３の形状と略一致する限り、如何なる形状であってもよいが、例えば矩形、正方形、円、楕円等が挙げられる。上記断面の形状としては、矩形及び正方形が好ましく、矩形が特に好ましい。膨張時の風船部材４の上記断面形状を矩形又は正方形とすることで、風船部材４の製造容易性を向上させることができる。
【００４１】
風船部材４が開口部３を遮断した状態において開口部３の中心軸方向から視た風船部材４の断面積（第３面積）は、開口部３の開口面積（第４面積）に対して一定の範囲にあることが好ましい。第３面積の第４面積に対する比率の下限としては、１００％であり、１０２％がより好ましく、１０５％がさらに好ましい。一方、上記比率の上限としては、１２０％が好ましく、１１５％がより好ましく、１１０％がさらに好ましい。上記比率が上記下限より小さいと、開口部３から空気が漏出するおそれがあり、温度管理及び湿度管理が難しくなるおそれがある。一方、上記比率が上記上限より大きいと、風船部材４が開口部３より大きくなりすぎて、風船部材４を最大まで膨張させたときに風船部材４が破損するおそれがある。
【００４２】
また、風船部材４が開口部３を遮断した状態において、開口部３の中心軸方向から視た開口部３の縁７と風船部材４との最大距離が一定の範囲にあることが好ましい。上記最大距離の下限としては、０ｃｍであり、３ｃｍがより好ましく、５ｃｍがさらに好ましい。一方上記最大距離の上限としては、１５ｃｍがより好ましく、１２ｃｍがさらに好ましく、１０ｃｍが最も好ましい。上記最大距離が上記下限より小さいと、開口部３から空気が漏出するおそれがあり、温度管理及び湿度管理が難しくなるおそれがある。一方、上記最大距離が上記上限より大きいと、風船部材４が開口部３より大きくなりすぎて、風船部材４を最大まで膨張させたときに風船部材４が破損するおそれがある。
【００４３】
＜支持体＞
当該農業用ハウス１は、図３及び図４に示すように風船部材４を支持する支持体６を備える。図３は、風船部材４が膨張した状態を示しており、図４は、風船部材４が収縮した状態を示している。当該農業用ハウス１が支持体６を備えることで、風船部材４を安定して保持することができる。
【００４４】
図３及び図４に示す支持体６は風船部材４を上部に載置できるように配置された２以上の棒状体を含む。支持体６を２以上の棒状体とすることで、風船部材４を安定に保持することができる。なお、支持体６として、棒状体の他板状体等の他の形状の支持体を含んでいてもよい。
【００４５】
この棒状体は、ハウス本体２の開口部３の真下に設けられるとよい。この棒状体をハウス本体２の開口部３の真下に設けることで、風船部材４が収縮した際、この収縮によりハウス本体２の開口部３から降下した風船部材４を確実に保持することができる。
【００４６】
２以上の棒状体は、風船部材４を保持しうる限り限定されるわけではないが、開口部３の長手方向に沿って略平行に設けられるとよい。このように、２以上の棒状体を開口部３の長手方向に沿って略平行に設けることで、風船部材４をより安定して保持することができる。
【００４７】
２以上の棒状体は、同一水平面上に配置されているとよい。２以上の棒状体を同一水平面上に配置することで、風船部材４をより安定に保持することができる。
【００４８】
２以上の棒状体が同一水平面上に配置されている場合において、２以上の棒状体を含む面からハウス本体２の開口部３までの距離の下限としては、特に限定されることはないが、５ｃｍが好ましく、１０ｃｍがより好ましく、１５ｃｍがさらに好ましい。一方、上記距離の上限としては、５０ｃｍがより好ましく、４５ｃｍがより好ましく、４０ｃｍがさらに好ましい。上記距離を上記範囲とすることで、膨張時の風船部材４を適切な大きさとすることができ、当該農業用ハウス１内の温度管理及び湿度管理を効率的に行うことができる。
【００４９】
＜ポンプ機構＞
ポンプ機構５は、風船部材４への吸気及び脱気を制御するためのものである。ポンプ機構５は、風船部材４への吸気及び脱気が可能であれば如何なる態様のものでもよく、例えばポンプ、コンプレッサ等が挙げられる。
【００５０】
＜利点＞
当該農業用ハウス１は、ラックアンドピニオン等の開閉機構に比して安価である風船部材４を用いることでハウス本体２のコストを抑制することができる。また、風船部材４は上述のラックアンドピニオン等の開閉機構に比して軽量でありハウス本体２の骨材を肉厚化する必要がないことからもコストを抑制することができる。また、風船部材は構造が簡易であるため、破損のおそれが少なく、台風などの強風でも壊れにくい。
【００５１】
〔第二実施形態〕
図５に示す当該農業用ハウス１１は、ハウス本体２と、ハウス本体２に設けられた開口部３と、開口部３を開閉可能に設置される風船部材４と、風船部材４への吸気及び脱気を制御するポンプ機構（図５においては不図示）と、風船部材４を支持する支持体６と、樹脂膜により形成され開口部３の縁７に沿って風船部材４と接触するように設けられた第２風船部材８とを備える。当該農業用ハウス１１が第２風船部材８を開口部３の縁７に沿ってこの縁７及び風船部材４に接触するように備えることで、風船部材４は開口部３の縁７に直接接触することが回避され、風船部材４の開口部３の縁７による破損を抑制することができる。また、支持体６は棒状体を含む。なお、支持体６として他の形状の支持体を含んでいてもよい。
【００５２】
第２風船部材８は、樹脂膜により形成されるとよい。第２風船部材８を樹脂膜により形成することで、第２風船部材８の弾力性が増加し、この第２風船部材８に接触する風船部材４の破損を抑制することができる。
【００５３】
第２風船部材８に使用される樹脂としては、特に限定されるものではないが、上述した風船部材４に使用される樹脂を使用することができる。また、上記樹脂以外にも、エポキシ樹脂、シリコーン樹脂、フェノール樹脂等の非透光性樹脂を使用することができる。第２風船部材８を構成する樹脂として、上述の樹脂を使用することで第２風船部材８は適度な柔軟性を得ることができ、風船部材４の破損を抑制することができる。
【００５４】
開口部３の中心軸を含む断面（即ち、ＸＺ平面に平行な断面）における第２風船部材８の形状は如何なるものであってもよいが、例えば矩形、正方形、円、楕円等を例示することができる。この中で矩形及び円が好ましく、円がより好ましい。断面形状を円とすることで第２風船部材８の製造容易性を向上させることができる。
【００５５】
第２風船部材８は、図６に示すように、開口部３の縁７を把持することができるように凹状に形成された収容部１０を備えるとよい。このように、第２風船部材８に収容部１０を設けることで、第２風船部材８が開口部３の縁７を把持することが可能となり第２風船部材８を開口部３の縁７に取り付けることが可能となる。これにより、風船部材４が収縮して第２風船部材８に接触していない状態においても第２風船部材８が開口部３の縁７から離脱せず、確実に風船部材４の破損を抑制することができる。
【００５６】
第２風船部材８と風船部材４とはそれらの接触面がある一定の面積を有するように接するとよい。第２風船部材８と風船部材４との接触面の第２風船部材８全表面積に対する比率の下限としては、５％が好ましく、１０％がより好ましく、１５％がさらに好ましい。一方、上記比率の上限としては、６０％が好ましく、５５％がより好ましく、５０％がさらに好ましい。上記比率が上記下限より小さいと、風船部材４が線に近い状態で第２風船部材８と接触するため、風船部材４と第２風船部材８とのずれが生じやすくなるおそれがある。一方、上記比率が上記上限より大きいと、第２風船部材８と風船部材４とが接触した部分において第２風船部材８と風船部材４とが離れにくくなるおそれがある。
【００５７】
第２風船部材８を構成する樹脂膜の平均膜厚の下限としては、１．０ｍｍが好ましく、１．２ｍｍがより好ましく、１．５ｍｍがさらに好ましい。一方、上記平均膜厚の上限としては、３．０ｍｍが好ましく、２．８ｍｍがより好ましく、２．５ｍｍがさらに好ましい。上記平均膜厚が上記下限より小さいと、第２風船部材８の耐久性が低下するおそれがある。一方、上記平均膜厚が上記上限より大きいと、第２風船部材８の弾力性が失われるおそれがある。
【００５８】
＜利点＞
当該農業用ハウス１１は、第２風船部材８を備えることで、風船部材４が開口部３の縁７に直接接触することが回避され、風船部材４の開口部３の縁７による破損を抑制することができる。
【００５９】
〔第三実施形態〕
図７に示す当該農業用ハウス２１は、ハウス本体２と、ハウス本体２に設けられた開口部３と、開口部３を開閉可能に設置される風船部材４と、風船部材４への吸気及び脱気を制御するポンプ機構（図７においては不図示）と、風船部材４を支持する支持体１６とを備える。さらに、図８に示すように、両端が開口した管状の保持部材１７が風船部材４の外表面に沿って設けられる。保持部材１７の長手方向は特に限定される訳ではないが、風船部材４の長手方向に対して平行がよい。このように設けられた保持部材１７を支持体１６が一方の開口から他方の開口に向かって貫通する。支持体１６は棒状体を含む。なお、支持体１６として他の形状の支持体を含んでいてもよい。また、支持体１６の長さは保持部材１７の一方の開口から他方の開口までの距離より長く設定する。このように、支持体１６の長さを保持部材１７の一方の開口から他方の開口までの距離より長く設定することで、この支持体１６を一方の開口から他方の開口に向かって貫通させた際、支持体１６の両端に固定具（不図示）を取り付けることが可能となり、この固定具により支持体１６をハウス本体２に取り付けることが可能となる。この固定具により保持部材１７の移動が抑制され、風船部材４を安定に保持することができる。
【００６０】
支持体１６は、図７に示すように、開口部３より上側に設けるとよい。さらに、風船部材４をその重心が開口部３より下側に位置するように配置し、風船部材４と支持体６との距離を風船部材４が開口部３の両方の縁７と接触するように調整するとよい。このように、支持体１６を開口部３より上側に設け、風船部材４をその重心が開口部３より下側に位置するように配置し、さらに風船部材４が開口部３の両方の縁７と接触するように風船部材４と支持体６との距離を調整することで、風船部材４を開口部３の両方の縁７と支持体６とにより安定に保持することができる。なお、風船部材４の収縮時においては、図９に示すように、風船部材４と開口部３の両方の縁７とが離間しハウス本体２内への気体の流入及びハウス本体２からの気体の流出が可能となる。
【００６１】
また、風船部材４は、図１０に示すように、複数（２つ）の保持部材１７を備えていてもよい。このように、風船部材４が２つの保持部材１７を備えることで、支持体１６が風船部材４をより安定して保持することができる。
【００６２】
＜利点＞
当該農業用ハウス２１は、支持体１６を保持する保持部材１７を有することで、風船部材４を安定に保持することができる。
【００６３】
〔第四実施形態〕
図１１に示す当該農業用ハウス３１は、ハウス本体２と、ハウス本体２に設けられた開口部３と、開口部３を開閉可能に設置される風船部材４と、風船部材４への吸気及び脱気を制御するポンプ機構（図１１においては不図示）と、風船部材４を支持する支持体２６とを備える。この支持体２６は、透明な板状体を含む。支持体２６が板状体であると、支持体２６により風船部材４を安定に保持することができる。また、板状体が透明であると、板状体による太陽光の遮断を抑制することができる。なお、支持体２６として、板状体の他棒状体等の他の形状の支持体を含んでいてもよい。
【００６４】
この板状体は、当該農業用ハウス３１の開口部３の真下に設けられるとよい。板状体を開口部３の真下に設けることで、風船部材４が収縮した際、この収縮により開口部３から降下した風船部材４を板状体が確実に保持することができる。
【００６５】
板状体は、平面視で開口部３と重なるように配置されているとよい。このように板状体を開口部３に沿って設置することで、風船部材４を確実に保持することができると共に、当該農業ハウス３１への雨の侵入を抑制することができる。また、上記板状体は水平（即ち、ＸＹ平面に対して平行）に配置されているとよい。板状体を水平に配置することで風船部材４を安定に保持することができる。
【００６６】
この板状体の可視光に対する透過率は、風船部材４の樹脂膜の透過率と同様とするとよい。上記透過率を風船部材４の樹脂膜の透過率と同様とすることで、板状体による太陽光の遮断をさらに抑制することができる。
【００６７】
上記板状体を構成する樹脂としては、可視光を透過させることができる限り如何なるものでもよいが、樹脂膜を構成する樹脂として挙げたものを使用することができる。上記樹脂は透明性に優れるため、板状体による太陽光の遮断を抑制することができる。
【００６８】
上記板状体は、この板状体の外周縁に沿って上方に突出して設けられた枠材を備えるとよい。上記板状体にその外周縁に沿って上方に突出する枠材を設けることで、風船部材４が支持体６から落下することを効果的に抑制することができる。
【００６９】
上記枠材は板状体と同様透明であるとよい。枠材を透明とすることで、枠材による太陽光の遮断を抑制することができる。枠材の可視光に対する透過率は、板状体の透過率と同様とするとよい。枠材の透過率を板状体の透過率と同様とすることで、枠材による太陽光の遮断を効果的に抑制することができる。
【００７０】
板状体からハウス本体２の開口部３までの距離としては、特に限定されることはないが、上記第一実施形態における棒状体を含む面からハウス本体の開口部までの距離と同様とするとよい。上記距離を上記第一実施形態における棒状体を含む面からハウス本体の開口部までの距離と同様とすることで、膨張時の風船部材４を適切な大きさとすることができ、当該農業用ハウス１内の温度管理及び湿度管理を効率的に行うことができる。
【００７１】
＜利点＞
当該農業用ハウス３１は、支持体２６を板状体とすることで、支持体２６により風船部材４を安定に保持することができる。また、当該農業用ハウス３１は、板状体を透明とすることで、板状体による太陽光の遮断を抑制することができる。
【００７２】
〔その他の実施形態〕
今回開示された実施の形態は全ての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００７３】
上記実施形態ではハウス本体の開口部に雨侵入防止部材を設けていないが、雨侵入防止部材をこの開口部を覆うように上方に設けてもよい。雨侵入防止部材の具体例としては、屋根の形状をした部材等が挙げられる。また、風船部材の開閉時に雨の侵入を抑制するため網状カーテンを当該農業用ハウス内に設けてもよい。
【００７４】
また、支持体である棒状体が風船部材の樹脂膜に設けられた貫通孔を貫通する態様において、この貫通孔と棒状体との間に隙間がないように貫通孔及び棒状体の径を設定するとよい。このように設定することで、風船部材からの気体の漏れを低減することができる。
【００７５】
棒状体が風船部材の樹脂膜を貫通する位置において、Ｏリング等のシール部材が用いられていてもよい。このシール部材は棒状体が風船部材の樹脂膜を貫通する位置において風船部材の樹脂膜に貫通するように固定されているとよい。このように、棒状体が風船部材の樹脂膜を貫通する位置においてシール部材を用いることで、この位置における風船部材からの気体の漏れを抑制することができる。
【００７６】
シール部材はリング状に形成され棒状体を摺動可能に構成されているとよい。このように、シール部材をリング状に形成し、このシール部材をこれが棒状体を摺動できるように構成することで、風船部材からの気体の漏れを抑制しつつ、風船部材の膨張収縮に従って、シール部材が棒状体の表面を摺動することが可能となり、開口部の開閉動作をよりスムーズに行うことができる。
【００７７】
シール部材は、シール効果があれば如何なるものでもよいが、例えばシリコーンゴム、ポリウレタンゴム、ニトリルゴム、スチレンブタジエンゴム等が挙げられる。シール部材としては、シリコーンゴム及びニトリルゴムが好ましく、シリコーンゴムが特に好ましい。このように、シール部材として上述のものを使用することで、棒状体とシール部材との密閉性を向上させることができると共に、シール部材の棒状体表面に対する摺動効率を向上させることができる。これらのゴムは潤滑油を含有するとよく、潤滑油を含有するゴムとしては、例えばシリコーン油含有シリコーンゴム、鉱物油含有ニトリルゴム等を例示することができる。シール部材として潤滑油を含有するゴムを使用することで、棒状体とシール部材との密閉性をさらに向上させることができると共に、シール部材の棒状体表面に対する摺動効率をさらに向上させることができる。このように摺動効率を向上させることで風船部材の膨張収縮の阻害を抑制することができ、開口部の開閉動作をよりスムーズに行うことができる。
【００７８】
棒状体が風船部材の樹脂膜を貫通しこの樹脂膜が棒状体表面を摺動する場合において、棒状体は、その方向が風船部材の樹脂膜の膨張収縮方向と略平行となるように設けられるとよい。ここで、「膨張収縮方向」とは、風船部材の膨張収縮に伴って風船部材を構成する樹脂膜が最も大きく変位する方向である。風船部材の形状が例えば柱状であり柱状体の長手方向に平行な平面又は曲面が最も大きく変位する場合は、膨張収縮方向は上記平面又は曲面の法線方向である。また、風船部材の形状が上記同様柱状であり柱状体の長手方向に略垂直な両端の面が最も変位する場合は、膨張収縮方向は柱状体の長手方向である。このように、棒状体をその方向が風船部材の樹脂膜の膨張収縮方向と略平行となるように設けることで、風船部材の膨張収縮の際、風船部材の樹脂膜の棒状体表面に対する摩擦力を抑えることができ、開口部の開閉動作をよりスムーズに行うことができる。
【００７９】
棒状体が風船部材の樹脂膜を貫通する位置において、樹脂膜が棒状体に対して熱融着されていてもよい。このように、棒状体が風船部材の樹脂膜を貫通する位置において樹脂膜を棒状体に対して熱融着させることで、この位置における風船部材からの気体の漏れを防止することができる。
【００８０】
また、上記実施形態では、支持体として板状体や棒状体を使用したが、これらに代えて、風船部材をハウス本体内に吊して固定する部材を使用してもよい。この部材は紐状のものであっても棒状のものであってもよいが、紐状のものが好ましい。支持体をこのような紐状の部材とすることで、風船部材の膨張収縮の阻害を抑制することができる。
【００８１】
上記部材は風船部材を当該農業用ハウスのハウス本体に対して安定に固定することが可能であれば、如何なる材料から構成されていてもよいが、例えば金属、合金、樹脂、セラミック等が挙げられる。上記部材を構成する材料としては、金属及び合金が好ましく、金属がより好ましい。金属及び合金は強度に優れるため、風船部材をハウス本体に対して安定に固定することができる。
【００８２】
本発明の農業用ハウスは、上記各実施形態の構成を適宜組み合わせて構成することができる。
【産業上の利用可能性】
【００８３】
以上のように、本発明の農業用ハウスは安価に製造できるため、初期投資を抑えることができる。また、開口部の開閉に使用される風船部材の破損のおそれが少なく、台風などの強風でも壊れにくい。そのため、本発明の農業用ハウスは農作物の栽培に好適に用いることができる。
【符号の説明】
【００８４】
１、１１、２１、３１  農業用ハウス
２  ハウス本体
３  開口部
４  風船部材
５  ポンプ機構
６、１６、２６  支持体
７  縁
８  第２風船部材
１０  収容部
１７  保持部材
【図１】
2017104052.tif 000003
【図２】
2017104052.tif 000004
【図３】
2017104052.tif 000005
【図４】
2017104052.tif 000006
【図５】
2017104052.tif 000007
【図６】
2017104052.tif 000008
【図７】
2017104052.tif 000009
【図８】
2017104052.tif 000010
【図９】
2017104052.tif 000011
【図１０】
2017104052.tif 000012
【図１１】
2017104052.tif 000013